(57)【要約】      （修正有）【課題】寺社、信者宅および家族宅を結ぶインターネット網で接続して、独居老人等の頑張るお年よりを見守り励ますための情報流通システムを提供する。【解決手段】寺社、信者宅および遠隔地に居住する信者の家族宅に設置されたパソコンにＴＶ電話を組み込み、これらをインターネット回線を介して接続する。さらに、例えば、お寺からの働きかけに対して、お年寄りがパソコンが組込まれたＴＶ電話機の操作を行ないあるいはコンテンツ情報を要求しあるいは完了ボタンを押した場合などに、前記お年寄りの活動情報としてお寺のパソコンが組込まれたＴＶ電話機あるいはセンタのサーバに記録し、前記お年寄りの家族が適宜取得できるように構成することによって、前記がんばるお年寄りを温かく見守り励ますサービスを提供できるようにする。【選択図】図１
0003153831.tif 000002
【実用新案登録請求の範囲】
【請求項１】
少なくとも、寺社に設置されたパソコンが組込まれたＴＶ電話機と、複数の信者宅に設置されたパソコンが組込まれたＴＶ電話機と、遠隔地に居住する前記信者の家族宅に設置されたパソコンが組込まれたＴＶ電話機と、これらを結ぶインターネット網によって構成され、
前記寺社に設置されたパソコンが組込まれたＴＶ電話機から発信される音声と画像の情報を１対Ｎの配信サービスによってインターネット網に接続するための配信手段と、前記複数の信者宅に設置されたパソコンが組込まれたＴＶ電話機のタッチパネルを操作することによって選択して受信するための選択受信手段と、前記信者宅に設置されたパソコンが組込まれたＴＶ電話機により返信される音声と画像の情報および／あるいはタッチパネルの操作情報をインターネット網に発信するための情報発信手段と、前記寺社に設置されたパソコンが組込まれたＴＶ電話機により前記信者の活動情報として対面表示するための情報表示手段と、前記寺社において前記信者の生活状況を前記対面表示された活動情報によってリアルタイムで見守り、かつ／または必要に応じて前記活動情報を少なくとも前記信者の家族宛てに転送しあるいは報告するための発信手段を有することを特徴とする一人暮らしの信者を見守る情報流通システム。
【請求項２】
前記寺社により発信される情報が、寺社の住職が行なう朝のお勤め、説教、あるいは講話の様子を撮影した音声と映像であり、前記信者が提供する情報が、前記信者が前記寺社により発信される情報を拝聴している様子を撮影した音声と映像であり、インターネット網を介してリアルタイムで伝送されることを特徴とする請求項第１項に記載の一人暮らしの信者を見守る情報流通システム。
【請求項３】
前記信者宅が提供する活動情報が前記信者宅に設置された目的別に準備された検知手段により検知された情報を含むことを特徴とする請求項第１項から第２項までのいずれかに該当する一人暮らしの信者を見守る情報流通システム。
【請求項４】
前記検知手段が緊急発信手段および／あるいは複数のセンサを含み、前記緊急発信手段および／あるいは複数のセンサから取得した活動情報を収集し提供するための無線端末と、前記無線端末から発信された情報を前記パソコンが組込まれたＴＶ電話機に提供するための無線親局を有することを特徴とする請求項第１項から第３項までのいずれかに該当する一人暮らしの信者を見守る情報流通システム。
【請求項５】
前記緊急発信手段あるいはセンサが、単一の受信手段と前記信者が携帯するＲＦＩＤタグから構成され、前記受信手段により前記ＲＦＩＤタグから発信されるバースト状の電波を受信することによって前記ＲＦＩＤまでの距離と方向を測定し、前記信者あるいは介護対象者の居る場所を±３０ｃｍ程度の精度で検知することを特徴とする請求項第１項から第４項までのいずれかに該当する一人暮らしの信者を見守る情報流通システム。
【考案の詳細な説明】
【技術分野】
【０００１】
この考案は、独居老人などの頑張るお年寄りを、旧知の寺社あるいは宗教団体あるいは福祉団体等の関係者を中心にして、一人暮らしの信者を見守る情報流通システムに関するものである。
【背景技術】
【０００２】
従来から、電子仏壇あるいは高齢者の見守りに関連するシステムが提案されている。（例えば、特許文献１〜９）
【特許文献１】特許第３５３９７５４号
【特許文献２】特開２００３−３１７１６５号
【特許文献３】特開２００４−１４５８７５号
【特許文献４】特開２００４−１４４３１０号
【特許文献５】特開２００４−２７２５６８号
【特許文献６】特開２００４−２８７７７０号
【特許文献７】特開２００４−３１３４６１号
【特許文献８】特開２００５−１９６８１２号
【特許文献９】特開２００６−０８５３９０号
【０００３】
従来の電子仏壇を含むシステムに関する技術として特許文献１に記載されている「故人を祀る装置」があり、図５に示すように、１は電子仏壇、２は大容量記憶装置、３は公衆通信回線、４はユーザが檀家として登録しているお寺、５は給食サービスセンタ、６は保険・福祉センタ、７は家族、８は訪問看護センタ、９は救急医療サービスセンタ、１０は編集サービス業者である。
【０００４】
電子仏壇１、大容量記憶装置２、お寺４、給食サービスセンタ５、保険・福祉センタ６、家族７、訪問看護センタ８、救急医療サービスセンタ９、編集サービス業者１０は公衆通信回線３を通じて接続されている。
お寺４あるいは編集サービス業者１０からは、少なくとも日取りと予定された内容を含むスケジュール情報が前記大容量記憶装置２に公衆回線を通じてあらかじめダウンロードされており、ユーザは電子仏壇１に設けられた表示装置により、前記スケジュール情報を表示させあるいは応答あるいは要求することができる。
【０００５】
従来の技術では、例えば、ユーザが独居老人などのがんばるお年寄りの場合に、お寺から送られる朝のお勤めなどを拝聴する様子を通じて生活状況を観察しあるいは把握することによって、前記がんばるお年寄り個人個人の活動情報を取得して、温かく見守り励ますことが訴求されていない問題点がある。
【０００６】
一方、特許文献２に記載されている従来の「生活見守りシステム」では、赤外線センサなどの人感センサを用いて高齢者の在宅を検知しインターネットを通じて見守るシステムであるが、前記高齢者に優しい方法で個人個人の活動情報を取得し、温かく見守り励ますことが訴求されていない問題点がある。
【０００７】
また、特許文献３に記載されている従来の「多数の見守りからの情報を送受信し処理する方法およびそれを実施するための装置」では、多数のセンサ等からの情報を加工処理し、インターネットを通じて高齢者を見守るシステムであるが、前記高齢者に優しい方法で個人個人の活動情報を取得し、温かく見守り励ますことが訴求されていない問題点がある。
【０００８】
また、特許文献４に記載されている従来の「健康状態監視システム」では、生体情報検出のためのセンサは、無浸襲・無拘束・無意識状態で監視対象者の生態情報並びに存在情報を親局側からモニタすることで高齢者・独居老人の健康監視・睡眠状態監視・見守りを可能とするとしているが、前記高齢者に優しい方法で個人個人の活動情報を取得し、温かく見守り励ますことが訴求されていない問題点がある。
【０００９】
また、特許文献５に記載されている従来の「生活見守りシステム」では、高齢者などの見守り対象者の生活状況を自然に見守ることのできる生活見守りシステムを提供するとしているが、前記高齢者に優しい方法で個人個人の活動情報を取得し、温かく見守り励ますことが訴求されていない問題点がある。
【００１０】
また、特許文献６に記載されている従来の「生活見守りシステム」では、高齢者などの見守り対象者宅で発生する異常を各高齢者の生活状況に合わせて検出し、サービス利用者に通知することのできる生活見守りシステムを提供するとしているが、前記高齢者に優しい方法で個人個人の活動情報を取得し、温かく見守り励ますことが訴求されていない問題点がある。
【００１１】
また、特許文献７に記載されている従来の「在宅者健康状態遠隔見守り方法および装置」では、一人住まいの高齢者の健康状態を高齢者の子供などの見守り者が随時把握することができる在宅者健康状態遠隔見守り方法および装置を提供するとされているが、前記高齢者に優しい方法で個人個人の活動情報を取得し、温かく見守り励ますことが訴求されていない問題点がある。
【００１２】
また、特許文献８に記載されている従来の「生活見守りシステムおよび方法」では、被監視者の健康状態、居住環境、安全等をさりげなく見守るシステムが必要であるとしているが、前記被監視者に優しい方法で個人個人の活動情報を取得し、温かく見守り励ますことが訴求されていない問題点がある。
【００１３】
また、特許文献９に記載されている従来の「固定型通信端末、携帯型通信端末、情報集約・蓄積サーバおよび見守り専用端末」では、遠隔地にいる人同士の円滑なコミュニケーションを促すことができ、人間関係の維持・構築と利用者のＱｏＬ向上に貢献することができる固定型通信端末等を提供するとしているが、前記遠隔地にいる人に優しい方法で個人個人の活動情報を取得し、温かく見守り励ますことが訴求されていない問題点がある。
【考案の開示】
【考案が解決しようとする課題】
【００１４】
本考案は、近年社会全体の高齢化が進み益々増えつづける独居老人等の頑張るお年寄りを、例えば、お寺から送られる朝のお勤めなどを拝聴する様子を通じて生活状況を観察しあるいは把握することによって、前記お年寄りを温かく見守り励ますためのサービスを提供するためになされた。
【課題を解決するための手段】
【００１５】
この考案に係わる情報流通システムは、複数の信者宅内、あるいは複数の信者宅の仏壇あるいは祭壇内、あるいは仏壇あるいは祭壇の前面あるいは仏壇あるいは祭壇の近辺、あるいはこれらを組み合わせた場所に設置されたパソコンが組込まれたＴＶ電話機と、単一あるいは複数の寺社内に設置されたパソコンが組込まれたＴＶ電話機と、必要に応じて前記信者の家族宅に設置されたパソコンが組込まれたＴＶ電話機との間をインターネット回線によって相互間を接続し、例えば、お寺からの働きかけに対して、お年寄りがパソコンが組込まれたＴＶ電話機の操作を行ないあるいはコンテンツ情報を要求しあるいは完了ボタンを押した場合などに、前記お年寄りの活動情報としてお寺のパソコンが組込まれたＴＶ電話機あるいはセンタのサーバに記録し、前記お年寄りの家族が適宜取得できるようにすることによって、前記がんばるお年寄りを温かく見守り励ますサービスを提供するためのものである。
【００１６】
ここで、独居老人などの頑張るお年寄りとは、一般に信仰心が厚く、仏壇あるいは祭壇を備えて先祖をお祭りし、寺社との社会的なつながりを強く保っており、一方、お寺の住職あるいは神社の神官などの聖職者は社会的な信用が高く、お年寄りが希望する場合、お年寄りの個人的な情報に関与することが許されるものと考えられる。独居老人などの頑張るお年寄りを見守り励まし日々の生活を支援するためには、前記の社会的なつながりと寺社の社会的な信用あるいは信頼関係を活用することが大切であり、社会的にも経済的にも貢献できる度合いが大きく効果も大きい。
【００１７】
また、お年寄りが取り扱うパソコンが組込まれたＴＶ電話機としてワンクリック式あるいはタッチパネル式の操作表示パネルを用いてメニュ表示からワンクリックあるいはワンタッチで選択したコンテンツ情報をもとに外部に要求を発信しあるいは必要情報を受信することが容易にできるようにすることで、抵抗感が少なくなり、日々の生活の中でタッチパネルを操作する機会が多くなり、お年寄りのプライバシに十分に配慮した上で活動情報を取得するのに最適な手段を提供できる。
【００１８】
また、パソコンが組込まれたＴＶ電話機でお寺の住職あるいは神社の神官あるいは宗教団体の聖職者等と会話することは心の癒しとなり無理なくお年寄りに受け入れられることから、お年寄りの個人個人の活動情報を取得するのに有効である。
また、従来のように電気ポットあるいはテレビあるいはトイレ等の利用状態を検知するために別に設けた生活センサとの組合せにより活動情報を取得するのも有効である。
【考案の効果】
【００１９】
従来の独居老人などの頑張るお年寄りの生活動性を把握する方法には電気ポットあるいはテレビあるいはトイレ等の利用状態をセンサなどで検知し、インターネットを通じて関係者に知らせるなどの方法があるが、これらはいずれも独居老人などの頑張るお年寄りとの関係が無機質な方法であり、お年寄りの人格を損なう恐れがあった。
【００２０】
寺社あるいは宗教団体が介在することで、お祈り等の生活習慣を通じて心の通った情報流通システムが構築でき、ワンクリックあるいはワンタッチ式のパネルによる簡単な操作で要求の発信あるいは情報の入手を行なうなど方法でお年寄りの活動情報が取得でき、あるいは使い慣れたパソコンが組込まれたＴＶ電話機を操作することでお年寄りの活動情報を取得でき、あるいはお年寄りの家族からの問い合わせに答えることで、お年寄りとその家族の幸せのみでなく寺社あるいは宗教団体の活性化にも役立つことから、これらのサービスを通じて新しいビジネスが起業できしかも社会に貢献できるなどの効果が得られる。
【考案を実施するための最良の形態】
【００２１】
この考案に係わる情報流通システムは、図１に示すように、複数の信者宅内あるいは複数の信者宅の仏壇あるいは祭壇内あるいはあるいは仏壇あるいは祭壇の前面あるいは仏壇あるいは祭壇の近辺あるいはこれらを組み合わせた場所に設置されたワンクリックあるいはワンタッチ式の操作表示パネルを含むパソコンが組込まれたＴＶ電話機１３ａ、１３ｂと、寺社内に設置されたパソコンが組込まれたＴＶ電話機１２ａ、１２ｂおよび当該信者の家族あるいは福祉関係機関内に設置されたパソコンが組込まれたＴＶ電話機１４と、必要に応じてセンタ１５のサーバ２６ａを含めインターネット網を通じて接続されている。
【００２２】
図２では、お年寄りの活動情報を取得するための基本となる情報の例と流通の経路の例が示されており、寺社の住職あるいは神社の神官等から信者に働きかけた場合の応答状況を把握してセンタのサーバあるいは寺社のパソコンが組込まれたＴＶ電話機に活動情報として記憶し、あるいはお年寄りがワンクリックあるいはワンタッチ式の操作表示パネルを操作したときの状況を把握してセンタのサーバあるいは寺社あるいは宗教団体のパソコンが組込まれたＴＶ電話機に活動情報として対面表示しあるいは記憶することで、お年寄りのプライバシを損なうことなく、心の通った対応策が採れるメリットがある。
【００２３】
なお、前記寺社に設置されたパソコンが組込まれたＴＶ電話機は、発信される音声と画像の情報を１対Ｎの配信サービスによってインターネット網に接続するための配信手段を有し、前記複数の信者宅に設置されたパソコンが組込まれたＴＶ電話機は、タッチパネルを操作することによって選択して受信するための選択受信手段と、返信される音声と画像の情報および／あるいはタッチパネルの操作情報をインターネット網に発信するための情報発信手段とを有し、前記寺社に設置されたパソコンが組込まれたＴＶ電話機は、前記信者の活動情報として対面表示するための情報表示手段と、前記寺社において前記信者の生活状況を前記対面表示された活動情報によってリアルタイムで見守り、かつ／または必要に応じて前記活動情報を少なくとも前記信者の家族宛てに転送しあるいは報告するための発信手段を有する。
【００２４】
（実施の形態１）
図１は、本考案の情報流通システムの構成を示す図である。図１において、１２ａ、１２ｂは寺社あるいは宗教団体など、１３ａ、１３ｂは信者宅の仏壇あるいは祭壇、１４は家族あるいは福祉関連機関、１５はセンタ装置、２１ａ〜２１ｄ、２２ａ〜２２ｄは寺社１２ａ、１２ｂに設置されたパソコンが組込まれたＴＶ電話機、２３ａ〜２３ｅ、２４ａ〜２４ｅは信者宅仏壇１３ａ、１３ｂに設置されたパソコンが組込まれたＴＶ電話機、２５は家族あるいは福祉関連機関１４に設置されたパソコンが組込まれたＴＶ電話機、２６ａ、２６ｂはセンタ装置を構成するサーバ、３１はインターネット網、４１ａ〜４１ｅは通信回線である。
【００２５】
寺社１２ａ、１２ｂに設置されたパソコンが組込まれたＴＶ電話機２２ａ〜２２ｄ、信者宅の仏壇１３ａ、１３ｂに設置されたパソコンが組込まれたＴＶ電話機２３ａ〜２３ｅ、２４ａ〜２４ｅおよび家族あるいは福祉関連機関１４に設置されたパソコンが組込まれたＴＶ電話機２５はインターネット網３１に通信回線４１ａ〜４１ｅを通じて接続されている。
【００２６】
お年寄りが仏壇の前に座りパソコンが組込まれたＴＶ電話機１３ａ、１３ｂに設けられたワンクリックあるいはワンタッチ式の操作表示パネル２３ｄあるいは２４ｄのＯＮボタンを押すと、あらかじめダウンロードされあるいは新たにダウンロードされたメニュが表示され、メニュボタンを選択して押すとメニュに従って必要な処理が操作表示パネル２３ａあるいは２４ｂと前記パソコンが組込まれたＴＶ電話機１３ａあるいは１３ｂにより行われ、当該処理の課程でセンタ装置１５内のサーバ２６ａあるいは寺社あるいは宗教団体１２ａあるいは１２ｂ内に活動情報２１ｃ、２２ｃとして発信される。
【００２７】
信者宅１３ａ、１３ｂから送られた活動情報はセンタ装置１５内の活動情報管理サーバ２６ｂに記憶され管理され、あるいは寺社１２ａ、１２ｂ内の活動情報２１ｃ、２２ｃとして対面表示され、当該信者の活動が少ない場合あるいは急激に減少した場合等には警報を発し、あるいは家族１４からの問い合わせがある場合には当該個別のお年寄りの活動状況を報告することができる。
【００２８】
信者宅の仏壇１３ａ、１３ｂにパソコンが組込まれたＴＶ電話機２３ａ〜２３ｅ、２３ａ〜２３ｅを設置するのは、特に独居老人が過去の生活習慣から先祖を敬い仏壇を大切にしていることから、独居老人の日常の活動状態を把握するのに適していることによる。従って、信者宅の仏壇１３ａ、１３ｂと縁の深い寺社１２ａ、１２ｂとの情報流通システムを組むことによって、寺社１２ａ、１２ｂが有する社会的な信用あるいは当該信者との信頼関係を通して心のこもった生活支援が可能となる。
【００２９】
ここで、当該信者宅の仏壇あるいは祭壇１３ａ、１３ｂに設置されるパソコンが組込まれたＴＶ電話機２３ａ〜２３ｅ、２４ａ〜２４ｅは一例を示したものであり、パソコンが組込まれたＴＶ電話機あるいはセットトップボックスあるいはパソコンあるいはセンサあるいは無線親局あるいは電子チューナあるいはテレビ等インターネット網に直接あるいは間接的に接続できる各種の装置あるいは手段から取捨選択して設置することができる。
【００３０】
また、当該操作表示パネル２２ｄあるいは２４ｄにはワンクリックあるいはワンタッチ式のものを用いることで高齢者にも容易に操作でき、さらに、操作表示パネルを各種の情報家電および／あるいは情報端末と共通化あるいは一体化することで、手による操作の他に音声あるいは画像を通してメニュを選択し、コンテンツ情報を取得し、要求を発信し、関係する情報を入手しあるいは交換できるメリットが生まれる。
【００３１】
また、近年課題となっている個人情報の保護あるいはプライバシ保護に関しては、寺社あるいは宗教団体などの社会的な信頼性と各個人との信頼関係により個人情報あるいはプライバシへの相当程度までの介入は許容されるものと考えられることから、更に、ワンクリックあるいはワンタッチ式の操作表示パネルを操作したことのみから活動情報を取得し、あるいはメニュの項目のみ等に限定して活動情報を取得し、コンテンツ情報の内容にまでは介入しないことができることから十分なプライバシ保護が可能となる。
【００３２】
また、独居老人が関心をもつコンテンツ情報をダウンロードして更新しあるいは追加することで、毎日の生活の中で、電気ポットあるいはテレビあるいはトイレ等の利用以上にメニュの選択とコンテンツ情報の活用が積極的に行われるので活動情報を取得するのには最適な方法であり、従来の生活センサを設置するよりもコストを抑え安価にすることが十分に可能である。
また、給食センタあるいは食材の宅配業者からダウンロードされた給食メニュあるいは食材から好きなメニュあるいは食材を選ぶことは、朝昼晩の３食が必ずつきものであるので、一日を通しての活動情報を取得するのに有効である。
【００３３】
また、前記各種センサ２３ｃ、２４ｃが単一の受信手段と前記信者あるいは介護対象者が携帯するＲＦＩＤから構成され、前記受信手段が、複数のアンテナあるいはトランスデユーサを切り替えながら前記信者あるいは介護対象者が携帯するＲＦＩＤから発信されるバースト状の無線信号の搬送波信号あるいは副搬送波信号の位相を測定し、直交しあるいは同期し少なくとも周波数が異なる複数の変調信号あるいは拡散符号の少なくとも位相差を検出する機能を有し、前記ＲＦＩＤまでの方向と距離を測定することによって、当該信者あるいは介護対象者の居る場所を±３０ｃｍ程度の精度で検知することができる。
【００３４】
また、前記各種センサ２３ｃ、２４ｃが自動式の水道の蛇口あるいは自動式のトイレあるいは電子制御式の便座あるいは電子制御式の錠前あるいはドアあるいは電子制御式の窓あるいはカーテンあるいは電子制御式の風呂あるいは電動式のベッドあるいは電動式あるいは電子制御式の家庭電化製品あるいはこれらの組合せの内部に組み込まれあるいは一体化されあるいは附加されて操作状態を検知する手段を有し、あるいは目的別に準備された検知手段によって検知した活動情報を無線信号によって無線親局に伝送しインターネット網に発信することができる。
【００３５】
また、前記各種センサ２３ｃ、２４ｃがワットメータあるいはガスメータあるいは水道メータあるいはこれらの組合せの内部に組み込まれあるいは一体化されあるいは附加されており電気あるいはガスあるいは水道の使用量を検知した結果が無線信号により無線親局に伝送されインターネット網に発信することができる。
また、前記ＩＰ電話機あるいはテレビ電話機あるいはセットトップボックス形のテレビ電話機あるいは電子チューナあるいは無線親局あるいはセンサあるいはこれらの組合せが緊急発信手段を有し、緊急発信時には当該インターネット網を経由して緊急信号を発信することができる。
【００３６】
（実施の形態２）
図２は、本考案の情報流通システムで流通する情報の種類と流通の経路を示す図である。図２において、２００は寺社が取扱う情報、２０１は朝のお勤め、説教、講話など寺社により発信される音声あるいは画像等の情報、２０２はパソコンが組込まれたＴＶ電話機による送受信される情報、２０３は監視される活動情報、２０４は前記パソコンが組込まれたＴＶ電話機により取扱われる情報、３００はインターネット網で接続される情報、４００は信者宅が取扱う情報、４０１は朝のお勤め、お祈り、受講などの信者宅で受信される音声あるいは画像等の情報、４０２はパソコンが組込まれたＴＶ電話機で送受信される情報、４０３は提供される情報、４０４は前記パソコンが組込まれたＴＶ電話機により取扱われる情報、６００はセンタ装置により取り扱われる情報、６０１はサーバでとり扱われる情報、６０２は活動情報、６０３はコンテンツ情報である。
【００３７】
寺社が取扱う情報２００の中で、お寺の住職による朝の読経、説教あるいは講話などの音声および画像等の情報２０１が、パソコンが組込まれたＴＶ電話機の情報２０２として１対１あるいは１対Ｎの配信サービスにより送出され、信者宅が取扱う情報４００として信者の希望によってメニュから選択し音声あるいは画像等の情報４０１として受信することができる。
一方、信者宅から提供される情報４０３は、前記パソコンが組込まれたＴＶ電話機により取扱われる情報４０４に含めインターネット網の情報３００として発信され、パソコンが組込まれたＴＶ電話機により取扱われる情報２０４として受信され、更に、監視される活動情報２０３として記憶され、パソコンが組込まれたＴＶ電話機の情報２０２として対面表示され、同時に、サーバ６０１内に、活動情報６０２として記憶される。
【００３８】
センタの情報６００内の活動情報６０２はその都度あるいは定期的に処理されて、個人毎の活動状況が分析され個人の活動情報として整理され記憶され、寺社の情報２００内の活動情報２０３としてダウンロードされ、前記パソコンが組込まれたＴＶ電話機２０４内に記憶される。
寺社が取扱う情報２００の中で、パソコンが組込まれたＴＶ電話機の情報２０２として対面表示される活動情報２０３から、前記お寺の住職が独居老人の生活状況を監視し、問題ありと判断される時には音声あるいは画像によって確認をとりあるいは当該信者の家族あるいは福祉関連機関に発信し必要な生活支援が可能となる。
【００３９】
ここで、上記に示した情報の種類および流通の経路は一例を示したものであり、取捨選択しあるいは追加することによって多種の方法が準備できる。
また、信者宅の情報４００の中には、図１に示す各種センサから取得する情報が含まれ、従来のように電気コンロあるいは電気ポットあるいはテレビあるいはトイレ等の電気製品あるいは家電製品等の起動・停止を検知するために別に設けた生活センサにより検知したものを含めることができる。
【００４０】
（実施の形態３）
図３は、本考案の情報流通システムの信者宅で用いるパソコンが組込まれたＴＶ電話機の配置を示す図である。図３において、７０１はお仏壇あるいは祭壇、７０２はタッチパネルを含む操作画面表示装置、７０３はパソコンが組込まれたＴＶ電話機、７０４は信者である。
タッチパネルを含む操作表示装置７０２は、お仏壇あるいは祭壇７０１の適当な位置に埋め込まれあるいは当該お仏壇あるいは祭壇７０１の前方の位置に置かれており、お仏壇あるいは祭壇７０１と相対する格好でパソコンが組込まれたＴＶ電話機７０３のカメラ部分が設置され、お仏壇あるいは祭壇７０１とパソコンが組込まれたＴＶ電話機７０３のカメラ部分の中間地点に信者７０４が座している。
【００４１】
かかる配置において、信者７０４がメニューに従ってコンテンツ情報を取得しあるいは要求を出すことができ、タッチパネルを含むパソコンが組込まれたＴＶ電話機７０２を操作する場合には信者７０４はお仏壇あるいは祭壇７０１に向いて座しており、パソコンが組込まれたＴＶ電話機７０２により朝のお勤め、説教、講話など寺社により発信される音声あるいは画像等の情報を拝聴しあるいはお寺の住職と対話する等のときにはパソコンが組込まれたＴＶ電話機７０３のカメラ部分に相対して座すことで、パソコンが組込まれたＴＶ電話機７０３を使用時に周辺の生活用品がパソコンが組込まれたＴＶ電話機７０３のカメラ部分の視野に入らないメリットがある。
【００４２】
ここで、パソコンが組込まれたＴＶ電話機７０３のカメラ部分がお仏壇あるいは祭壇７０１と相対する場合について述べたが、当該パソコンが組込まれたＴＶ電話機７０３のカメラ部分をお仏壇あるいは祭壇７０１の上部から下方に向けて設置し、あるいは横方向あるいは他の方向で生活用品が視野に入らない方向に設置しても同様な効果が得られる。
また、必要に応じてパソコンが組込まれたＴＶ電話機７０３と操作表示パネル７０２を一体化しあるいは携帯可能な端末として準備することで利用者の利便性を向上することができる。
【００４３】
（実施の形態４）
図４は、本考案の情報流通システムで取り扱われる活動情報の処理プログラムを示す図である。図４において、８０１は信者宅のタッチパネルを含む操作表示装置によるメニュの選択操作、８０２はインターネットへの接続処理、８０３は寺社への接続か否かの判定処理、８０４はその他の画面情報処理、８０５はお寺のテレビ電話機との接続処理、８０６は住職による見守るサービス、８０７は信者の活動情報としての記録処理、８０８はＥＮＤである。
【００４４】
信者宅のタッチパネルを含む操作表示装置においてメニュを選択操作８０１をすると、当該選択操作８０１がお寺への接続要求であるか否かの判定８０２を行い、お寺への接続要求であると判定されると、お寺のテレビ電話機との接続処理８０２によって、例えば、お寺で行なわれる朝のお勤めにお寺のテレビ電話機を介して参加する。
お寺のテレビ電話機の画面には複数の信者が朝のお勤めに参加している状態が映し出され、住職による見守るサービス８０６によって、画面上に表示された複数の信者の健康状態などの生活情報が把握され、信者の活動情報としての記録処理８０７によって、例えば、直接前記信者の家族に伝えられ、あるいはセンターのサーバーに記録される。
【００４５】
お寺への接続以外の例えばコンテンツ情報をダウンロードするなどのその他の画面情報処理８０４が発生すると、センタサーバーに送られ記憶される。
操作あるいは処理が完了すればＥＮＤ８０８に移行して処理を終了する。
【００４６】
ここで、その他の画面操作情報処理８０４には、センサなどによって自動的に取得される生活情報を含むことができる。
活動情報の検知８１０をコンテンツ情報をダウンロードする要求８０３および寺社への接続８０９に限定したが、その他のメニュ選択８０１あるいは別に設置した生活センサからの情報についても活動情報の検知８０９として個人別に活動情報を集計・記憶８１１とすることができる。
【００４７】
以上の説明では、寺社内にパソコンが組込まれたテレビ電話機を設置するものとしたが、その他の宗教団体など独居老人などの頑張るお年寄りに心の安らぎを与えられる関係機関にテレビ電話機を設置しても同様な効果が得られる。
また、寺社に限らず高齢者との信頼関係が保てる団体あるいは機関、あるいは社会的に認められ団体あるいは機関が実施しても同様な効果が得られることは言うまでもない。
【産業上の利用可能性】
【００４８】
本考案の情報流通システムでは、寺社あるいは宗教団体などを積極的に介護ビジネスに参入させることで、独居老人などの頑張るお年寄りのプライバシを保護しながら安否を確認する以外に生活相談あるいは心のケアなどのサービスが可能となる。
【図面の簡単な説明】
【００４９】
【図１】本考案の情報流通システムの構成を示す図
【図２】本考案の情報流通システムで流通する情報の種類と流通の経路を示す図
【図３】本考案の情報流通システムの信者宅で用いるパソコンが組込まれたＴＶ電話機の配置を示す図
【図４】本考案の情報流通システムで扱われる活動情報の処理プログラムを示す図
【図５】従来の電子仏壇を含むシステムの接続図
【符号の説明】
【００５０】
１                                          電子仏壇
２                                          大容量記憶装置
３                                          公衆通信回線
４                                          お寺
５                                          給食サービスセンタ
６                                          保険・福祉サービスセンタ
７                                          家庭
８                                          訪問看護センタ
９                                          救急医療サービスセンタ
１０                                        編集サービス業者
１２ａ、１２ｂ                              寺社あるいは宗教団体の情報端末
１３ａ、１３ｂ                              信者宅の情報端末
１４                                        遠隔地の家族あるいはその他の機関あるいは団体の情報端末
１５                                        センタ装置
【００５１】
２１ａ、２２ａ、２３ａ、２４ａ              パソコンが組込まれたＴＶ電話機
２１ｂ、２２ｂ、２３ｂ、２４ｂ、２５        前記パソコンが組込まれたＴＶ電話機
２１ｃ、２２ｃ                              活動情報監視サーバ
２３ｃ、２４ｃ                              各種センサ
２１ｄ、２２ｄ、２３ｄ、２４ｄ              ワンクリックあるいはワンタッチ式の操作表示パネル
２３ｅ、２４ｅ                              テレビ等情報家電
２６ａ                                      センタサーバ
２６ｂ                                      活動情報管理サーバ
３１                                        インターネット網
４１ａ、４１ｂ、４１ｃ、４１ｄ              高速通信回線
【００５２】
２００                  寺社が取扱う情報
２０１                  朝のお勤め、説教、講話などの音声あるいは画像の情報
２０２                  パソコンが組込まれたＴＶ電話機が送受信する情報
２０３                  寺社が監視する活動情報
２０４                  前記パソコンが組込まれたＴＶ電話機が送受信する情報
３００                  インターネット網が接続あるいは交換する情報
４００                  信者宅が取扱う情報
４０１                  朝のお勤め、説教、講話などの音声あるいは画像の情報
４０２                  パソコンが組込まれたＴＶ電話機が送受信する情報
４０３                  信者宅が提供する活動情報
４０４                  前記パソコンが組込まれたＴＶ電話機が送受信する情報
【００５３】
６００                  センタで取り扱う情報
６０１                  センタサーバにより取扱われる情報
６０２                  個人別活動情報
６０３                  コンテンツ情報
７０１                  仏壇あるいは祭壇
７０２                  パソコンが組込まれたＴＶ電話機の操作表示パネル
７０３                  パソコンが組込まれたＴＶ電話機のカメラ部分
７０４                  信者
【００５４】
８０１                  メニュ選択
８０２                  インターネット網への接続処理
８０３                  お寺への接続か否かの判定
８０４                  その他の画面操作情報
８０５                  お寺のパソコンが組込まれたＴＶ電話機への接続処理
８０６                  住職による見守りサービス
８０７                  信者の活動情報としての記憶処理
８０８                  ＥＮＤ
【図１】
0003153831.tif 000003
【図２】
0003153831.tif 000004
【図３】
0003153831.tif 000005
【図４】
0003153831.tif 000006
【図５】
0003153831.tif 000007
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
少なくとも、寺社に設置されたパソコンが組込まれた第１のＴＶ電話機と、複数の信者宅に設置されたパソコンが組込まれた第２のＴＶ電話機と、遠隔地に居住する前記信者の家族宅に設置されたパソコンが組込まれた第３のＴＶ電話機と、前記第１、第２、および第３のＴＶ電話機を結ぶインターネット網によって構成され、
前記寺社に設置された第１のＴＶ電話機から発信される音声と画像の情報を１対Ｎの配信サービスによってインターネット網に接続するために前記第１のＴＶ電話機に組込まれた配信手段と、前記第１のＴＶ電話機とインターネット網に組込まれた配信手段によって配信された音声と画像を前記複数の信者宅に設置された第２のＴＶ電話機のタッチパネルを操作することによって選択して受信するために第２のＴＶ電話機に組込まれた選択受信手段と、前記信者宅に設置された第２のＴＶ電話機により選択され、返信される音声と画像の情報、および／あるいはタッチパネルの操作情報をインターネット網に発信するために第２のＴＶ電話機に組込まれた情報発信手段と、前記寺社に設置された第１のＴＶ電話機により前記信者の活動情報として対面表示するために前記第１のＴＶ電話機に組込まれた情報表示手段と、前記寺社において前記信者の生活状況を前記対面表示された活動情報によってリアルタイムで見守り、かつ／または必要に応じて前記活動情報を少なくとも前記信者の家族宛てに転送しあるいは報告するために前記第１のＴＶ電話機に組込まれた情報発信手段を有することを特徴とする一人暮らしの信者を見守る情報流通システム。
【請求項２】
前記寺社により発信される情報が、寺社の住職が行なう朝のお勤め、説教、あるいは講話の様子を撮影した音声と映像であり、前記信者が提供する情報が、前記信者が前記寺社により発信される情報を拝聴している様子を撮影した音声と映像であり、インターネット網を介してリアルタイムで伝送されることを特徴とする請求項第１項に記載の一人暮らしの信者を見守る情報流通システム。
【請求項３】
前記信者宅が提供する活動情報が、前記信者宅に設置され、目的別に準備された検知手段により検知された情報を含むことを特徴とする請求項第１項に記載の一人暮らしの信者を見守る情報流通システム。
【請求項４】
前記検知手段が緊急発信手段および／あるいは複数のセンサを含み、前記緊急発信手段および／あるいは複数のセンサから取得した活動情報を収集し提供するための無線端末と、前記無線端末から発信された情報を前記第２のＴＶ電話機に提供するための無線親局を有することを特徴とする請求項第３項に記載の一人暮らしの信者を見守る情報流通システム。
【請求項５】
前記緊急発信手段あるいはセンサが、単一の受信手段と前記信者が携帯するＲＦＩＤタグから構成され、前記受信手段により前記ＲＦＩＤタグから発信されるバースト状の電波を受信することによって前記ＲＦＩＤまでの距離と方向を測定し、前記信者あるいは介護対象者の居る場所を高い精度で検知することを特徴とする請求項第４項に記載の一人暮らしの信者を見守る情報流通システム。